(57)【要約】  本願発明は画像を表示するためのシステムに関する。システムは、画像を表示するためのディスプレイ、第１画像を捉えるための第１センサ及び第２画像を捉えるための第２センサを含む。武器のハンドグリップに搭載されたスイッチは使用者により第１画像及び第２画像を交互に表示するため切り換えられる。
2013528771.tif 000002
【特許請求の範囲】
【請求項１】
画像を表示するためのディスプレイと、
第１画像を捉えるための第１センサと、
第２画像を捉えるための第２センサと、
武器のハンドグリップに搭載されたスイッチとを備え、
前記ディスプレイが、切り換えられる前記スイッチに応答して前記第１画像及び前記第２画像を交互に表示する、画像表示システム。
【請求項２】
前記ディスプレイ及び前記第１センサは、前記武器を保持している使用者により装着されたゴーグルに搭載され、
前記第２センサは前記武器上に搭載される、請求項１記載のシステム。
【請求項３】
前記ディスプレイ及び前記第１センサは、前記武器を保持している使用者により装着されたゴーグルに搭載され、
前記第２センサは前記使用者から離れた位置に搭載される、請求項１記載のシステム。
【請求項４】
前記ゴーグルは強化暗視ゴーグルであり、
前記第１センサは光強化画像を捉え、
前記第２センサは、前記武器に搭載されたスコープを通して熱画像を捉える、請求項２記載のシステム。
【請求項５】
前記スイッチは、使用者により押されたときに前記第１画像及び前記第２画像の間で切り換わる押しボタンであり、前記押しボタンは、前記ハンドグリップを保持して前記武器を発射しつつ前記使用者により押される、請求項１記載のシステム。
【請求項６】
前記ハンドグリップは前記武器の銃身に垂直な方向に延び、前記武器はライフル銃である、請求項１記載のシステム。
【請求項７】
前記ハンドグリップは前記武器の銃身を取り囲み、前記ハンドグリップは前記銃身と平行で隣接し、前記武器はライフル銃である、請求項１記載のシステム。
【請求項８】
画像を表示するためのディスプレイと、
第１画像を受信するための受信器と、
第２画像を捉えるためのセンサと、
武器のハンドグリップに搭載されたスイッチとを備え、
前記ディスプレイは、切り換えられる前記スイッチに応答して前記第１画像及び前記第２画像を交互に表示する、画像表示システム。
【請求項９】
前記ディスプレイ及び前記センサは前記武器を保持している使用者により装着されたゴーグルに搭載され、及び前記受信器は前記使用者又は前記武器に搭載される、請求項８記載のシステム。
【請求項１０】
前記第１画像は前記使用者から離れた位置で別のセンサにより捉えられた画像である、請求項９記載のシステム。
【請求項１１】
前記第１画像は前記使用者から離れた位置でコンピュータにより生成された画像である、請求項９記載のシステム。
【請求項１２】
別のセンサが第３画像を捉えるために含まれて、及び前記スイッチは３つの位置を有するスプリング式ロッカースイッチである、請求項８記載のシステム。
【請求項１３】
前記ロッカースイッチが第１位置のときに前記第１画像は表示され、
前記ロッカースイッチが第２位置のときに前記第２画像が表示され、
前記ロッカースイッチが第３位置のときに前記第３画像が表示される、請求項９記載のシステム。
【請求項１４】
前記ハンドグリップを保持しつつ使用者が前記スイッチを操作可能なように、前記スイッチが前記ハンドグリップに搭載される請求項８記載のシステム。
【請求項１５】
武器のハンドグリップに搭載されたスイッチを切り換えること、及び
切り換えられる前記スイッチに応答してディスプレイ上に第１画像及び第２画像を交互に表示すること、を含む画像を表示する方法。
【請求項１６】
前記スイッチを切り換える間に、使用者により前記武器の前記ハンドグリップを保持することを含む、請求項１５記載の方法。
【請求項１７】
押しボタンを押すことにより前記スイッチを作動させること、及び
前記押しボタンを解除することにより前記スイッチを作動不能にさせること、を含む請求項１６記載の方法。
【請求項１８】
前記スイッチが作動されたときに前記第１画像を表示すること、及び前記スイッチが作動不能とされたときに前記第２画像を表示すること、を含む請求項１７記載の方法。
【請求項１９】
前記スイッチが作動不能とされているときに使用者のヘルメットに搭載されたセンサにより捉えられた前記第１画像を表示すること、及び
前記スイッチが作動されているときに前記武器に搭載されたセンサにより捉えられた前記第２画像を表示すること、を含む請求項１７記載の方法。
【請求項２０】
前記ハンドグリップがライフル銃の前部グリップのときに前記スイッチを切り換えることを含む請求項１５記載の方法であって、前記スイッチは、前記ライフル銃身を支持する使用者の手先により切り換えられる、請求項１５記載の方法。
【発明の詳細な説明】
【技術分野】
【０００１】
本願発明は、概して、暗視ゴーグルにおいて表示された画像間を遠隔的に切り換えることに関する。システムは光強化画像を提供するため兵士のヘルメットに搭載された強化暗視ゴーグル（ＥＮＶＧ：enhanced night vision goggle）を含んでよい。このシステムは、熱画像を提供するための兵士の武器に搭載された熱武器照準器（ＴＷＳ：thermal weapon sight）も又含んでよい。ＴＷＳにより捉えられた熱画像は、遠隔作動によりＥＮＶＧの接眼レンズを通って表示されてよい。武器の前部ハンドガード又はその他の非引き金位置に配置されたスイッチを切り換えることにより、ＥＮＶＧにおいてＴＷＳ画像を表示することが行われてよい。このことは、兵士がハンドガードから手を離すことなく、その結果、発射位置を維持しながら兵士がＴＷＳ画像を見ることを可能にする。
【背景技術】
【０００２】
従来のシステムでは、兵士は光強化画像を表示する強化暗視ゴーグル（ＥＮＶＧ）が搭載されたヘルメットを通して戦闘現場を見ることができる。熱画像を捉えることが可能な熱武器照準器（ＴＷＳ）も又兵士の武器に搭載されてよい。ＥＮＶＧの接眼レンズを通してＴＷＳ画像を見ることは、慣例的に兵士がＴＷＳに搭載されたスイッチを切り換えることにより行われる。しかしながら、スイッチを切り換えるため、兵士は武器の前部ハンドグリップから手を離さなければならず、その結果、応答時間が増加して兵士が攻撃を受け易くなってしまう。
【発明の概要】
【課題を解決するための手段】
【０００３】
これと他の必要性を満たすため、そしてその目的を考慮して、本願発明は頭部に搭載された暗視ゴーグルからの画像、及びライフル銃に搭載された熱武器照準器のような遠隔センサからの映像を交互に表示するためのシステムを提供する。ライフル銃の発射位置を維持しつつ機能切り換えの制御が行われる。
【０００４】
１つの実施形態では、システムは画像を表示するためのディスプレイ、第１画像を捉えるための第１センサと、第２画像を捉えるための第２センサ、及び武器のハンドグリップに搭載されたスイッチを含む。ディスプレイは、切り換えられるスイッチに応答して第１画像と第２画像を交互に表示する。１つの実施形態では、ディスプレイ及び第１センサは、武器を保持する使用者により装着されたゴーグルに搭載されて第２センサは武器に搭載される。他の実施態様では、ディスプレイ及び第１センサは武器を保持する使用者により装着されたゴーグルに搭載されて、第２センサは使用者から離れた位置に搭載される。
【０００５】
ゴーグルは強化暗視ゴーグルであってよく、そこで第１センサは光強化画像を捉えて、第２センサは武器に搭載されたスコープを通した熱画像を捉える。スイッチは使用者により押されたときに第１画像及び第２画像間を切り換える押しボタンであってよく、そこでハンドグリップを保持して武器を発射しつつ使用者により押しボタンが押される。１つの実施形態では、ハンドグリップは武器（例えば、ライフル銃）の銃身に垂直な方向に延びる。他の実施形態では、ハンドグリップは武器（例えば、ライフル銃）の銃身を取り囲み銃身に平行で且つ隣接する方向に延びる。
【０００６】
１つの実施形態では、システムは画像を表示するためのディスプレイ、第１画像を受信するための受信器、第２画像を捉えるためのセンサ、及び武器のハンドグリップに搭載されたスイッチを含む。ディスプレイは切り換えられるスイッチに応答して第１画像と第２画像を交互に表示する。ディスプレイ及びセンサは武器を保持している使用者により装着されたゴーグルに搭載されており、受信器は使用者に又は武器に搭載される。１つの実施形態では、第１画像は使用者から離れた位置で別のセンサにより捉えられた画像である。別の実施形態では、第１画像は使用者から離れた位置にあるコンピュータにより生成された画像である。他のセンサは第３画像を捉えるために含まれてよく、スイッチは３つの位置を有するスプリング式ロッカースイッチであってよい。
【０００７】
概して、ロッカースイッチが第１位置にあるときに第１画像が表示され、ロッカースイッチが第２位置にあるときに第２画像が表示され、及びロッカースイッチが第３位置にあるときに第３画像が表示される。スイッチは、ハンドグリップを保持しつつ使用者がスイッチを操作できるようにハンドグリップ上に搭載される。
【０００８】
１つの実施形態では、画像を表示する方法は、武器のハンドグリップ上に搭載されたスイッチを切り換えること、及び切り換えるスイッチに応答してディスプレイ上に第１画像及び第２画像を交互に表示することを含む。概して、使用者はスイッチを切り換えつつ武器のハンドグリップを保持する。スイッチは押しボタンを押すことにより作動され、押しボタンを解除することにより作動不能とされる。概して、スイッチが作動されたときに第１画像が表示されて、スイッチが作動不能とされたときに第２画像が表示される。
【０００９】
１つの実施形態では、スイッチが作動不能とされたときに使用者のヘルメット上に搭載されたセンサにより捉えられた第１画像が表示されて、スイッチが作動されたときに武器上に搭載されたセンサにより捉えられた第２画像が表示される。ハンドグリップがライフル銃のグリップ前部のときにスイッチは切り換えられる。概して、ライフル銃の銃身を支持する使用者の手先によりスイッチは切り換えられる。
【００１０】
上述した一般的な記載及び以下の詳細な説明は代表例であるが、本発明を限定するものではないと理解される。
【図面の簡単な説明】
【００１１】
【図１ａ】図１ａは本発明の実施形態による、熱武器照準器により捉えられた画像を表示する暗視ゴーグルを遠隔的に制御するための、前部ハンドグリップに配置されたスイッチを含む武器を保持する兵士を示す図である。
【図１ｂ】図１ｂは本発明の実施形態による、受信器により受信された画像を表示する暗視ゴーグルを遠隔的に制御するための、前部ハンドグリップに配置されたスイッチを含む武器を保持する兵士を示す図である。
【図１ｃ】図１ｃは、本発明の実施形態による、熱武器照準器により捉えられた画像を表示し、又は受信器により受信された画像を表示する暗視ゴーグルを遠隔的に制御するための、前部ハンドグリップに配置されたスイッチを含む武器を保持する兵士を示す図である。
【図２】図２は本発明の実施形態による図１の前部ハンドグリップ及びスイッチの拡大図である。
【図３】図３は本発明の実施形態による熱武器照準器により捉えられた画像表示を遠隔的に制御するためのスイッチ構成を含む回路である。
【図４】図４は本発明の実施形態による、熱武器照準器により捉えられた画像表示を遠隔的に制御するための３路スイッチ構成を含む回路である。
【図５】図５は本発明の実施形態による熱武器照準器により捉えられた画像表示又は受信器により受信された画像表示を遠隔的に制御するためのスイッチ構成を含む回路である。
【発明を実施するための形態】
【００１２】
説明されるように、本発明は発射位置を維持しつつ表示された画像間を切り換えるためのシステムを提供する。一例では兵士のヘルメットに搭載された強化暗視ゴーグル（ＥＮＶＧ）は熱武器照準器（ＴＷＳ）又は画像受信器に（例えばケーブルにより）接続されてよい。ＥＮＶＧは光強化画像を捉えるための光強化センサ、画像（例えば映像）を表示するためのディスプレイ及び兵士が画像を見ることを可能にする接眼レンズを含む。武器に配置されたＴＷＳは、熱（例えば赤外線）センサ及び熱画像を捉えるための拡大スコープを含んでよい。画像受信器は、兵士から離れた他のセンサ又はコンピュータから画像を無線で受信してよい。
【００１３】
概して、センサにより捉えられた画像又は受信器で受信された画像は、武器（例えば、ライフル銃のような銃）のハンドグリップ（即ち、前部ハンドガード）に配置されたスイッチを切り換えることによりＥＮＶＧにおいて表示されてよい。スイッチの配置は、（兵士が銃のグリップを維持する）適切な発射位置を維持しつつ表示している画像間を兵士が切り換えることを可能とする。概して、スイッチは、発射する時に兵士が武器を保持するハンドグリップ又は他の非引き金位置に配置されてよい。さらに、如何なるタイプの機械的なスイッチ（例えば、押しボタン、ロッカースイッチ、トグルスイッチなど）、又は電気スイッチ（例えば、トランジスタ、静電容量プレート、光学センサなど）のようなもので実施されてよい。
【００１４】
１つの実施形態では、図１ａは発射位置で武器（例えば、ライフル銃）１０８を保持している兵士１０２の側面図を示す。ケーブル１２０及び１２２を通してＴＷＳ１１６及び遠隔スイッチ１１８と接続されるＥＮＶＧ１１４は、兵士のヘルメットに装着される。発射位置にある間、兵士１０２は、後部ハンドグリップ１１０上の手１０６と、武器１０８の能動的な制御を提供する前部ハンドグリップ１１２上の手１０４により、武器１０８を保持するようにしてよい。この例では、ハンドグリップ１１２は火器の銃身と垂直な方向に延びる。しかしながら、別の例では、ハンドグリップ１１２は火器の銃身を取り囲み銃身と平行な方向に延びてよい。
【００１５】
概して、スイッチ１１８は、兵士が前部ハンドグリップ１１２から手１０４を離すことなくスイッチを切り換え可能なような場所に設けられる（例えば、スイッチはハンドグリップに直接的に搭載されるか、又はハンドグリップに隣接した位置に搭載されてよい）。一例ではスイッチ１１８は、兵士の指（例えば、人差し指）により押し下げられたときに作動されて、兵士の指により解除されたときに作動不能とされる瞬時押しボタンであってよい。
【００１６】
１つの実施形態では、スイッチ１１８が作動されたときにＴＷＳ１１６のセンサにより捉えられた熱画像が、ＥＮＶＧ１１４のセンサにより捉えられた強化画像の替わりに表示されてよい（スイッチ１１８は画像間をトグルにより切り換わるように使用される）。しかしながら別の実施形態では、ＴＷＳ１１６のセンサにより捉えられた熱画像は、ＥＮＶＧ１１４のセンサにより捉えられた強化画像と結合されるか、又はピクチャインピクチャとして提供されてよい。センサはどのようなタイプのセンサであってもよく、熱センサ及び画像強化センサに限定されないことに留意すべきである。
【００１７】
ＥＮＶＧ１１４内及びその上に画像を表示することは色々な方法で達成されてよい。１例では、ＴＷＳ１１６により捉えられた画像は、ＥＮＶＧ１１４に継続的に提供されてよい。この例では、熱画像を表示するためＥＮＶＧ１１４に指示するイネーブル（enable)信号がケーブル１２０及び１２２を通って（作動されたスイッチ１１８に応答して）送られてよい。別の例ではＴＷＳ１１６によって捉えられた画像は、ＥＮＶＧ１１４に継続的に提供されない。この例では、スイッチ１１８が作動される時に画像がＥＮＶＧ１１４に提供されて表示される。
【００１８】
図１ａは、ＥＮＶＧ１１４がＴＷＳ１１６から熱画像を受信する構成を示すが、ＥＮＶＧ１１４がＴＷＳ１１６以外のソースから他の画像を受信してよいことも考えられる。図１ｂは、スイッチ１１８が受信器１３０により提供された画像表示を遠隔的に作動させる構成を示す。概して、スイッチ１１８が作動されるとき、受信器１３０で受信された画像を表示するように、ＥＮＶＧ１１４を指示するイネーブル信号がケーブル１３２及び１３４を通って送られる。
【００１９】
画像受信器１３０は、戦場で又は戦場近傍の他のセンサ又はコンピュータから画像を無線で受信する装置であってよい。受信器１３０が受信可能な幾つかの画像は他の兵士に搭載されたセンサからの画像に限られず、戦場の至るところに搭載されたセンサからの画像、車両に搭載されたセンサからの画像及びコンピュータデータベースからの画像／情報を含む。
【００２０】
１つの実施態様では、受信器１３０は戦場の上を飛行する航空機から空中画像を受信してもよい。戦闘中は、兵士１０２は受信された空中画像をＥＮＶＧ１１４に表示するようにスイッチ１１８を押してもよく、空中画像は戦場の敵及び陸標に対する兵士位置のような兵士の状況に関係する情報を提供し得る。
【００２１】
別の実施形態では、受信器１３０はコンピュータが生成した地図を受信してもよい。戦闘中は、兵士１０２は受信された地図をＥＮＶＧ１１４上に表示するためにスイッチ１１８を作動させてよい。地図は道路や地形の画像のような交通情報を兵士に提供してよい。
【００２２】
図１ｃは図１ａ及び図１ｂのシステムを結合したさらに別の実施形態を示す。特に、図１ｃでは、ＥＮＶＧ１１４は受信器１３０又はＴＷＳ１１６のいずれかから画像を受信してよい。概して、スイッチ１１８（３つの位置を備えるスプリング式ロッカースイッチであってよい）は切り換えられて、受信器１３０により受信される画像を表示するように、ＴＷＳ１１６において熱センサにより捉えられた画像を表示するように、又はＥＮＶＧ１１４における画像強化センサにより捉えられた画像を表示するように、ＥＮＶＧ１１４に指示するイネーブル信号がケーブル１３２，１３６及び１３８を介して送られてよい。
【００２３】
図２は、武器１１８の前部ハンドグリップ１１２に搭載されたスイッチ１１８の拡大図を示す。先に述べたように遠隔スイッチは、兵士の指によりボタン１１８が押されることが可能なように前部ハンドグリップ１１２に直接装着されてよい。しかしながら、概して遠隔スイッチは、スイッチを操作しつつ兵士が発射位置を維持することを可能にする、前部ハンドグリップの任意の位置又はそれに隣接する武器１０８の任意の位置に搭載可能である（即ち、兵士はスイッチを操作するために武器から手を離す必要がない）。
【００２４】
例えば、遠隔スイッチは図２のボタン２０２として武器本体に装着されてよい。この配置はハンドグリップ１１２を静止して保持しつつ兵士が指でボタンを押すことを可能にする。ボタン２０２の構成は銃身に垂直に延びるハンドグリップを有していない武器に使用されてもよい（例えばハンドグリップが銃身を取り囲むようにしてよい）。
【００２５】
戦闘中に兵士がスイッチ１１８を作動させたくない状況もありうる。従って、スイッチ１１８は偶発的な作動を回避するために任意選択的な保護ガード（図示せず）も又含んでよい。保護ガードはボタンを覆うヒンジ付のプラスチックシールドであってよい。この例では兵士がスイッチ１１８を操作することを望むときに、シールドはスイッチ１１８が露出するように（兵士の指により）弾いて開けられる。この構成は兵士が保護ガードを操作しつつ武器のハンドグリップに手を維持しておくことを可能とする。
【００２６】
多様なスイッチ回路構成がＥＮＶＧ１１４における画像を交互に表示するように実施されることが考えられる。図３，４及び５はそのような回路の３つの実施形態を示す。３つの実施形態は、以下に述べられるが、システムは特定の実施形態に限定されるものではない。
【００２７】
図３は、ＥＮＶＧ１１４における画像強化センサにより捉えられた強化画像を表示すること、又はＴＷＳ１１６において熱センサにより捉えられた熱画像を表示することの間を遠隔的に切り換える回路である。この実施態様では、ＴＷＳ１１６は、熱画像を捉えてＥＮＶＧ１１４に継続的に出力するための熱センサ３０２と、単極３投スイッチ３０４とを含む。この実施態様ではスイッチ１１８は（例えば、押されたときにボタンが閉となる）常時開の瞬間的押しボタンとして実施される。
【００２８】
概して、ＥＮＶＧ１１４は、イネーブルライン３０６、ビデオライン（例えば、ＲＳ−１７０）３０８及び接地ライン（ＧＮＤ）３１０を含むケーブル１２０を介してＴＷＳ１１６に接続されている。ＴＷＳは又ＧＮＤライン３１０及びイネーブルライン３１２を含むケーブル１２２を介して遠隔スイッチ１１８に接続される。この実施態様では、イネーブルライン３０６がＧＮＤライン３１０に接続されたとき、ＥＮＶＧ１１４のディスプレイ３２０が熱センサ３０２により捉えられた熱映像を表示して、イネーブルライン３０６がＧＮＤライン３１０に接続されていないときには、ＥＮＶＧ１４における画像強化センサ３２２により捉えられた画像強化映像を表示する。概して、ＴＷＳ１１６は、スイッチ３０４の３つの異なる接点（例えば、遠隔モード、マニュアルオンモード及びマニュアルオフモード）に対応する３つの切り換えモードで作動する。
【００２９】
第１の切り換えモード（遠隔モード）では、イネーブルライン３０６はライン３１２に接続され、その結果、押しボタン１１８が画像強化映像及び熱映像間で切り換わることを可能にする。ボタン１１８が瞬間的に押されたとき、熱映像を表示するようにＥＮＶＧ１１４を指示するイネーブルライン３０６がＧＮＤライン３１０に接続される。しかしながらボタン１１８が押されないときには、イネーブルライン３０６は、ＧＮＤライン３１０から切り離され、その結果、画像強化映像を表示するようにＥＮＶＧ１１４を指示する。
【００３０】
第２の切り換えモード（オンモード）では、ライン３０６はライン３１０に接続され、その結果、熱強化映像を表示するようにスイッチ１１８をバイパスしてＥＮＶＧ１１４に指示する。このモードは、もしスイッチ１１８が作動不能（例えば装置１１８が故障したとき）のとき、兵士が熱強化映像を表示することを望んだときに有益であろう。
【００３１】
第３の切り換えモード（オフモード）では、ライン３０６は、浮遊ノード３１４に接続されて、その結果、熱強化映像を表示するようにスイッチ１１８をバイパスしてＥＮＶＧ１１４を指示する。このモードは、もしスイッチ１１８が作動不能のときに（例えば、スイッチ１１８が故障したときに）、兵士が画像強化映像を表示することを望んだときに有益であろう。
【００３２】
第２及び第３の切り換えモードは、スイッチ１１８をバイパスするための選択肢であることを留意すべきである。スイッチ１１８をバイパスすることは、もしスイッチ１１８が故障して最早作動しないときに有益であろう。しかしながら、戦闘状況の間、発射位置を維持しつつ兵士がボタン１１８を使用して、画像強化映像及び熱映像間を切り換えるように、スイッチ３０４は遠隔モードに維持されなければならない。
【００３３】
図３では、遠隔切り換えモードは、熱映像を表示するように押しボタン１１８が押されなければならない常時開モードである。しかしながら、スイッチ１１８が押されていないときに、ＴＷＳ１１６の熱映像が表示される常時閉の遠隔切り換えモードから兵士は利益を享受可能であることが考えられる。図４では、遠隔切り換えモードは３路スイッチ設定の使用により２つの下位モード（例えば、常時オフモード及び常時オンモード）に拡張される。
【００３４】
この実施態様では、スイッチ４０２は単極４投スイッチを含む。概して、ＴＷＳ１１６はスイッチ４０２の４つの異なる接点に対応する４つの異なる切り換えモード（例えば、常時オフ遠隔モード、常時オン遠隔モード、マニュアルオンモード及びマニュアルオフモード）で作動する。
【００３５】
この第１の切り換えモード（常時オフ遠隔モード）では、ライン３０６は、ライン４０６及び押しボタン１１８の常時開接点に接続する。このモードでは、押しボタン１１８が瞬間的に押されるとＴＷＳ１１６の熱画像が表示される。しかしながら、ボタン１１８が押されないときは、イネーブルライン３０６がＧＮＤライン３１０から切り離されて、その結果、熱映像を停止して画像強化映像を表示する。このモードは図３に記載された遠隔モードと類似する。
【００３６】
しかしながら、第２の切り換えモード（常時オン遠隔モード）ではライン３０６は押しボタン１１８の常時閉接触を介してライン４０４及びＧＮＤライン３１０に接続される。このモードでは、押しボタン１１８が押されないときには、ＴＷＳ１１６の熱映像が表示される。しかしながら、ボタン１１８が瞬間的に押されたときには、イネーブルライン３０６がＧＮＤライン３１０から切り離されて、その結果、ＴＷＳ映像を停止して画像強化映像を表示する。（ボタンを押すとＴＷＳ映像を停止する）常時オン遠隔モードは、事実上（ボタンを押すとＴＷＳ映像が作動する）常時オフ遠隔モードの反対である。常時オンモードの利益はボタン１１８を継続的に押す必要がなく延長された時間ＴＷＳ映像が表示可能となることである。
【００３７】
図４の第３及び第４の切り換えモードは、図３を参照して上述した第２（マニュアルオン）及び第３（マニュアルオフ）切り換えモードと類似する。上述したように、これらのモードは、利益（例えば、スイッチ１１８が最早作動しないとき）があると判断されたときは、スイッチ１１８をバイパスするための選択肢となる。
【００３８】
図１ｃを参照して上述したように、兵士は、ＴＷＳ映像以外の画像（例えば、受信器１３０により受信された画像）を表示する選択肢を有することを望むことも可能である。図５はＴＷＳ１１６により捉えられた映像又は受信器１３０により受信された映像／画像をＥＮＶＧ１１４が表示することを遠隔的に可能にするための回路を示す。
【００３９】
この実施態様では、ＥＮＶＧ１１４は、ケーブル１３２より、受信器１３０（ライン５０８及び５１０を介して）における映像プロセッサ５０２及びＴＷＳ１１６における熱センサ３０２（ライン５１２及び５１４を介して）の両方からの映像を受信する。この実施態様は、受信器１３０からの映像及び映像プロセッサからの映像をそれぞれ表示することを可能にするための２つのイネーブルライン５０４及び５０６も又含む。概して、ＴＷＳ１１６は、２極４投スイッチ３０４の４つの接点に対応する４つの異なる切り換えモード（例えば、遠隔モード、受信器映像モード、ＴＷＳ映像モード及びＥＮＶＧ映像モード）で作動する。
【００４０】
第１の切り換えモード（遠隔モード）では、イネーブルライン５０４及び５０６はそれぞれライン５１６及び５１８に接続され、その結果、ロッカースイッチ１１８は、瞬間的に光強化映像、受信器映像、又は熱映像が可能となるようにする。スイッチ１１８が瞬間的に第１位置にロックされたとき、イネーブルライン５０４がライン５１６を介してＧＮＤライン５１４に接続されて、イネーブルライン５０４が受信器１３０により受信された熱映像を表示するようにＥＮＶＧ１１４に指示する。スイッチ１１８が瞬間的に第２位置にロックされたときは、イネーブルライン５０６がライン５１８を介してＧＮＤライン５１４に接続されて、イネーブルライン５０６がＴＷＳ１１６からの熱映像を表示するようにＥＮＶＧ１１４に指示する。スイッチ１１８が第３（中立休止）の位置のときにはＥＮＶＧ１１４は画像強化センサにより捉えられた画像強化映像を表示する。図５の構成は、スイッチ１１８を切り換えることにより、兵士がＴＷＳ１１６を介して熱放射目的物（例えば、人間）を見ること、受信器１３０を介して他のセンサ又はコンピュータからの他のデータを見ること、及びＥＮＶＧ１１４からの画像強化された画像を見ることを可能とする。
【００４１】
第２の切り換えモード（受信器映像モード）では、イネーブルライン５０６が浮遊ノード５２２に接続されている間に、イネーブルライン５０４はＧＮＤに接続される（ＴＷＳ映像が停止の間、受信器映像は可能となる）。第３の切り換えモード（ＴＷＳ映像モード）では、イネーブルライン５０４が浮遊ノード５２０に接続されている間、イネーブルライン５０６はＧＮＤに接続される（受信器映像が停止の間、ＴＷＳ映像が可能となる）。第４切り換えモード（ＥＮＶＧ映像モード）では、イネーブルライン５０４及び５０６は、それぞれ浮遊ノード５２４及び５２６に接続され（ＴＷＳ映像及び受信器映像が停止される）、その結果、ＥＮＶＧ１１４におけるセンサ３２２により捉えられた画像強化映像を表示する。図５の第２、第３及び第４の選択モードはスイッチ１１８をバイパスしてスイッチ１１８が機能しないような状況で有益であろう。
【００４２】
本発明はここで具体的な実施例を参照して図示及び記載されたが、本発明は示された詳細に限定されるものではない。むしろそうではなく特許請求の範囲と均等の範囲で本発明から切り離されずに種々様々な変更例がなされてよい。
【図１ａ】
2013528771.tif 000003
【図１ｂ】
2013528771.tif 000004
【図１ｃ】
2013528771.tif 000005
【図２】
2013528771.tif 000006
【図３】
2013528771.tif 000007
【図４】
2013528771.tif 000008
【図５】
2013528771.tif 000009
【国際調査報告】
2013528771.tif 000010
2013528771.tif 000011
2013528771.tif 000012